(57)【特許請求の範囲】
【請求項１】
浴室の壁面７０に設けられた既存のシャワーヘッド用保持具１に着脱可能であり、かつ運搬可能な物入れ具であって、差し込むための差込部２０と、シャワーヘッド７１を抜き差しするとともに保持するための開口部６０が設けられた代替保持具３０とが、基部１０と一体的に連結されており、
前記差込部２０および代替保持具３０が前記壁面７０に対して垂直方向であって、
前記差込部２０の上端部が、前記代替保持具３０の上端部よりも上方に配置され、
かつ前記差込部２０が前記壁面７０側で前記代替保持具３０が前記壁面７０から遠い側に配置され、前記差込部２０および前記代替保持具３０を中心にして、その両側に一体構造の物入れ部４０が配置されており、前記物入れ部４０の上部に取っ手５０が設けられていることを特徴とする浴室用物入れ具。
【発明の詳細な説明】
【技術分野】
【０００１】
本発明は、洗面具を整理・運搬し、既存のシャワーヘッド用保持具へ容易に抜き差しして使用できる浴室用差込式物入れ具に関する。
【背景技術】
【０００２】
既存のシャワーヘッド用保持具を利用した従来の物掛け具としては、図９に示すような浴室に据え付けて利用するフック装置がある（特許文献１）。このようなフック装置は、浴室の壁面７０に備え付けられた既存のシャワーヘッド用保持具１に対し、シャワーヘッドに代えて差し込む差込部１２０、差込部１２０と一体構造の基部１１０、差込部１２０を基準して基部１１０の一方側に延長して配置された物掛け部１３０、他方側に配置されたシャワーヘッドの代替保持具１４０が設けられた構造からなる。なお、代替保持具１４０と物掛け部１３０とは、基部１１０を中心にしてＴ字型に連結されている。そして、物掛け部１３０にはフック１５０が配置されている。このようなフック装置によって、既存のシャワーヘッド保持具１を利用し、ボディーブラシ８５や髪・顔を洗うための道具を引っ掛けて整理することができる。
【０００３】
また、図１０（ａ）（ｂ）に示すようなラックも商品として市販されている。このラックは、図１０（ａ）に示すように浴室の壁面７０に設けられた既存のシャワーヘッド用保持具１に、吊り板２０５の開口部２０５ａを合わせ、固定具２０７の差込部２０７ｂをシャワーヘッド用保持具１に差し込み、吊り板２０５の開口部上辺２０５ｂが前記固定具２０７に接するまで下動して安定させることで、壁に穴を開けることなく物入れを掛ける土台の吊り板２０５を壁面７０に設置することができる。吊り板２０５には差込部となる複数の差込穴２０５ｃが設けられており、この穴を利用して、図１０（ｂ）に示すように複数個の物入れ２０６ａ、２０６ｂ、２０６ｃを装着することができる。固定具２０７の両側には腕２０７ｄの先端にシャワーヘッド７１の代替保持部２０７ｃが一体的に設けられていて、シャワーヘッド７１を左右どちらでも掛けることができる。このようなラックによって、物入れ２０６ａ、２０６ｂ、２０６ｃに浴室で使用する種々の小物を整理・収納することができる。また、物入れ２０６ｃの側面部にフック２０６ｄを設けておけば、小物を吊るすこともできる。
【先行技術文献】
【特許文献】
【０００４】
【特許文献１】特許３４９６８１７号公報
【発明の概要】
【発明が解決しようとする課題】
【０００５】
特許文献１に記載のフック型物掛け具は、浴室小物をフックに掛けることにより整理することができるが、フックに引っ掛けることができない浴室用小物を整理するのに適さないという課題を有していた。また、従来のラック型物掛け具では、吊り板と固定具の２つによって固定する構造であることから頻繁な着脱が容易にできないだけでなく、携帯利用には困難な大きさや形状であるという課題を有していた。
【０００６】
これらの既存のシャワーヘッド用保持具を利用したフック型物掛け具やラック型物掛け具は自宅で常用して使用することを前提として構成されており、例えば近年レジャーとして一般的になった温泉、銭湯あるいは大衆浴場等に自分専用の浴室小物を持参して使用するような利用形態には適していないという課題があった。
【０００７】
すなわち、従来のシャワーヘッドを利用した従来の物掛け具は、家庭に設置したまま利用することを前提とした物掛け具であり、取り付け及び取り外しが難しく、頻繁に持ち運んで使用するには大きな形状を有するという課題があった。
【０００８】
そこで本発明は浴室用小物を整理・収納したまま、物掛け具を取り外しかつ取り付けが容易で、移動・運搬が簡単にできる軽量性およびデザイン性に優れた浴室用差込式物入れ具を提供することを目的とする。
【課題を解決するための手段】
【０００９】
上記課題を解決するために、本発明は浴室の壁面に設けられたシャワーヘッド用保持具に差し込むための差込部と、シャワーヘッドを抜き差しするとともに保持するための開口部が設けられた代替保持具とが基部と一体的に連結されており、差込部及び代替保持具が壁面方向に垂直方向であって、かつ差込部が壁面側で代替保持具が壁面から遠い側に配置されたことを特徴とする。
【発明の効果】
【００１０】
本発明の物入れ具は、浴室小物を整理して収納でき、既存のシャワーヘッド用保持具に着脱が容易で、例えば大衆浴場などでも持ち運びが容易で、かつ、簡単に設置できるという効果を有する。また、大衆浴場内或いはプールや海水浴場のシャワールーム内で持参いた浴室用小物を置くスペースがない時でも、浴室用小物を簡単に収納しておくことができる。さらに、物入れ部がシャワーヘッドの後方に位置することから、タオルを濡らさずに置く場所を確保でき、洗い場利用時を快適なものとすることができる。
【図面の簡単な説明】
【００１１】
【図１】本発明の実施例１に係る浴室用物入れ具について、既存のシャワーヘッド用保持具によくいつ用物入れ具の差込部を差し込み、代替保持具にシャワーヘッドを取り付けた状態を示す斜視図である。
【図２】本実施例１の浴室用物入れ具の形状を示す斜視図であり、（ａ）は正面から見た斜視図で、（ｂ）は背面から見た斜視図である。
【図３】本実施例１に係る浴室用物入れ具について、浴室壁面に浴室用小物入れ具を取り付けた状態を示す側面図である。
【図４】本実施例１浴室用物入れ具を中央部で切断して示す斜視図である。
【図５】本実施例１に係る浴室用物入れ具の使用形態を示す斜視図である。
【図６】本実施例２に係る浴室用物入れ具Ｂの斜視図である。
【図７】本実施例２に係る億室用物入れ具を中央で切断して示す斜視図である。
【図８】ブッシュの形状を示す図で、（ａ）は斜視図、（ｂ）は断面図である。
【図９】従来の浴室に図絵つけて使用するフック装置の形状を示す図である。
【図１０】従来のラックを示す図で、（a）は吊り板を固定する方法を説明するための斜視図で、（ｂ）は物入れ具を取り付けた状態を示す斜視図である。
【発明を実施するための形態】
【００１２】
本発明の浴室用物入れ具は、浴室の壁面７０に設けられた既存のシャワーヘッド用保持具１に差し込むための差込部２０と、シャワーヘッド７１を抜き差しするとともに保持するための開口部６０が設けられた代替保持具３０とが、基部１０と一体的に連結されており、差込部２０および代替保持具３０が壁面７０に対して垂直方向であって、かつ差込部２０が壁面７０側で代替保持具３０が壁面７０から遠い側に配置され、差込部２０および代替保持具３０を中心にして、その両側に一体構造の物入れ部４０が配置されている。このような構成をすることにより、既存のシャワーヘッド用保持具をそのまま利用して、持ち運びが容易で、かつ浴室用小物の形状を問わず整理でき、収納したまま移動できる利便性を実現した。
【実施例１】
【００１３】
本発明の実施例１に係る浴室用物入れ具Ａについて、図面を参照しながら詳細に説明する。図１は、既存のシャワーヘッド用保持具１に浴室用物入れ具Ａの差込部２０を差し込み、代替保持具３０にシャワーヘッド７１を取り付けた状態を示す斜視図である。また、図２は、本実施例の浴室用小物入れ具Ａの形状を示す斜視図で（ａ）は正面からみた斜視図で、（ｂ）は背面からみた斜視図である。図３は浴室壁面７０に浴室用物入れ具Ａを取り付けた状態を示す側面図である。また、図４は本実施例１の浴室用物入れ具Ａを中央部で切断して示す斜視図である。以下、これらの図面を用いて本実施例１の浴室用物入れ具Ａの構造について説明する。
【００１４】
本実施例１の浴室用小物入れ具Ａは、浴室壁面７０に設けられた既存のシャワーヘッド用保持具１に差し込ための差込部２０を備えた基部１０と、シャワーヘッド７１を抜き差しするためのホース７２を通すのに充分な開口部６０が正面に設けられた代替保持具３０とは、壁面７０に対し略垂直に向けて連結した構造である。そして図３および図４に示すように、物入れ部４０本体の上辺よりやや下方に配された差込部２０と、底面よりやや上の部分に配された代替保持具３０とは、基部１０と一体化して全体幅の中央に設けられており、掛けた時に既存のシャワーヘッド用保持具１の真正面、かつ、隣接した箇所に位置そ、基部１０、差込部２０および代替保持具３０を挟むように大きさが左右同等である物入れ部４０が設けられてこうせいされる。
【００１５】
これらの差込部２０と代替保持具３０は、物入れ部４０の幅、奥行および高さのいずれの寸法よりも小さくしてあり、物入れ部４０の内側に収まるように構成されているので、最小限のスペースで利用できる。また、物入れ部２０は上方向から既存のシャワーヘッド用保持具１に差し込み固定する単純な構造であり、取っ手部５０を持って物入れ部４０を上下させるだけで容易に着脱できる。
【００１６】
取っ手部５０は物入れ部４０に固定されていてもよいが、物入れ部４０の側面上縁部に設けられた取っ手脱着凸部４３と取っ手部５０の先端に設けられた取っ手着脱穴５３により、取っ手部５０を動かして着脱できるようにしてもよい。さらに、取っ手部５０には、図２に示すような位置に取っ手固定凸部５１と取っ手固定穴５２をそれぞれ設け、これを嵌め合わせることで固定するようにしてもよい。このように固定すれば、図５からわかるようにタオル８４を置くのに安定したタオル掛けとして利用することができる。このような構成とすることにより、浴室用小物を物入れ部４０に入れても全体に重心のバランスを取ることができ、既存のシャワーヘッド用保持具１に対する荷重負荷を軽減できる。なお、図５は本実施例１に係る浴室用物入れ具Ａの使用形態を示す斜視図である。図５では、例えば歯ブラシ８０、歯磨き粉８１、シャンプー８２あるいはリンス８３などのフックに引っ掛けることができないような浴室用小物でも容易に収納でき、携帯性に優れ、色々な小物を収納するための収納性にも優れている。
【００１７】
なお、本実施例１の浴室用物入れ具Ａでは、物入れ部４０は基部１０、差込部２０および代替保持具３０と一体構造としたが、本発明はこれに限定されず、これらと別構造としてもよい。また、本実施例１では、物入れ部４０には通気穴４０を設けているが、設けなくてもよい。
【実施例２】
【００１８】
本発明の実施例２に係る浴室用物入れ具Ｂについて、図６および図７を用いて説明する。図６は、本実施例２に係る浴室用物入れ具Ｂの斜視図であり、図７は中央部で切断して示す斜視図である。本実施例２に係る浴室用物入れ具Ｂは、基部１０が物入れ部４０の高さよりも低い位置に設けられており、差込部２０および代替保持具３０も実施例１に係る浴室用物入れ具Ａよりも、その長さを短くしてある。このような形状とすることで、物入れ部４０の収容量を増やすことができる。取り付け等の方法については、実施例１と同じであるので説明を省略する。
【００１９】
なお、実施例１に係る浴室用物入れ具Ａおよび実施例２に係る浴室用物入れ具Ｂともに、既存のシャワーヘッド保持具に掛けるのみならず、物入れ部４０の底面部に脚４４を設けている。このような脚４４を設けることで、棚や床に直接置いても安定で、かつ湯を流しても浴室用小物が濡れ難い構造としている。ただし、このような脚４４を設けることは本発明の必須事項ではない。また、頻繁な抜き差しや取っ手を設けて運搬することから、物入れ側面上縁部４１は、物入れ部４０本体より重厚にすれば浴室用小物の重量を支えることに好適である。
【００２０】
なお、取っ手着脱凸部４３と取っ手着脱穴５３とはセット関係にあればよく、浴室用物入れ具Ｂのように物入れ側面上縁部に取っ手着脱穴４５と取っ手部先端に取っ手着脱凸部５４を設ける構成としてもよい。
【００２１】
さらに、なお、実施例１に係る浴室用物入れ具Ａおよび実施例２に係る浴室用物入れ具Ｂともに、図８に示すようなシルクハット形のブッシュ２１を差込部２０に差し込んでから既存のシャワーヘッド保持具１に差し込めば、より密着して安定させることができ、かつ差込部２０と基部１０の裏面が接するシャワーヘッド用保持具１の内面部や上面部を傷つけないよう保護することができ好適である。このブッシュ２１は、柔軟性があり、ある程度滑りやすい素材であれば特に制約なく用いることができる。例えばポリエステルやポリエチレンなどのプラスチック素材を使うことができる。ただし、ブッシュ２１は本発明に対して必須ではなく、ブッシュ２１なしで使用しても充分に本発明の目的は達成できる。
【符号の説明】
【００２２】
１  既存のシャワーヘッド保持具
１０  基部
２０  差込部
２１  ブッシュ
３０  代替保持具  
４０  物入れ部
４１  物入れ側面上縁部
４２  通気穴
４３  取っ手着脱凸部ａ
４４  脚
４５  取っ手着脱穴ｂ
５０  取っ手部
５１  取っ手固定凸部
５２  取っ手固定穴
５３  取っ手着脱穴ａ
５４  取っ手着脱凸部ｂ
６０  開口部
７０  壁面
７１  シャワーヘッド
７２  ホース
８０  歯ブラシ
８１  歯磨き粉
８２  シャンプー
８３  リンス
８４  タオル
８５  ボディーブラシ
Ａ、Ｂ  浴室用物入れ
【図１】
0005900829.tif 000002
【図２】
0005900829.tif 000003
【図３】
0005900829.tif 000004
【図４】
0005900829.tif 000005
【図５】
0005900829.tif 000006
【図６】
0005900829.tif 000007
【図７】
0005900829.tif 000008
【図８】
0005900829.tif 000009
【図９】
0005900829.tif 000010
【図１０】
0005900829.tif 000011